(57)【要約】【課題】携帯情報端末を用いて、全体画像と詳細画像の関係を持った構造化した検査画像情報を作成可能にする。【解決手段】Ｓ２５では、携帯端末３は、Ｓ２３で選択された親の証拠写真を画像表示装置４８に表示した上、当該親の証拠写真上で子の証拠写真を関連づけるべき所望の位置である関連位置の指定を操作手段４６を介して受け付ける。Ｓ２６では、携帯端末３が、画像の撮影の指示を撮影ボタン４４を介して受け付け、撮影指示に応じて開始した撮影によって得られた子の証拠写真をメモリ３８に保存する。Ｓ２７では、メモリ３８に保存された子の証拠写真を画像表示装置４８に表示する。Ｓ２８では、携帯端末３が、メモリ３８に取得された子の証拠写真を、Ｓ２５で指定された上位の証拠写真のＩＤ、当該上位の証拠写真上の位置を示す座標情報(x, y)、当該位置に一意に割り当てられた撮影ポイントＩＤと対応づけて再びメモリ３８に保存する。【選択図】  図１０
2011070632.tif 000002
【特許請求の範囲】
【請求項１】
検査対象に関する検査情報と前記検査情報に関連する図面情報とを入力する検査情報入力部と、
前記検査情報入力部の入力した検査情報および図面情報に基づいて検査シートを生成する検査シート生成部と、
を有する検査シート生成装置と、
前記検査シート生成部の生成した検査シートに基づいて検査情報および図面情報を表示する表示部と、
前記検査対象に対応する検査結果を入力する検査結果入力部と、
前記検査対象の撮影ポイントを入力する撮影ポイント入力部と、
前記検査対象を被写体とした第１の画像および第２の画像を含む複数の画像を撮影可能な撮影部と、
前記撮影部の撮影した第１の画像上の所望の位置のうち前記第２の画像を関連づけるべき位置である関連位置を指定する関連位置指定部と、
前記検査結果入力部の入力した検査結果と前記撮影ポイント入力部の入力した撮影ポイントと前記関連位置指定部の指定した関連位置と前記第１の画像と前記第２の画像を対応づけた検査結果データを記憶する記憶部と、
を有する携帯端末と、
を備える検査システム。
【請求項２】
前記記憶部に記憶された検査結果データを所定のサーバに送信する送信部を備える請求項１に記載の検査システム。
【請求項３】
前記サーバは、
検査結果の内容と不具合対応依頼のフォームとを対応づけたテーブルを格納するテーブル格納部と、
前記検査結果データを受信する受信部と、
前記受信部の受信した検査結果データの示す検査結果に対応するフォームを特定し、前記特定されたフォームと前記検査結果データに従って不具合対応依頼情報を作成する作成部と、
を備える請求項２に記載の検査システム。
【請求項４】
前記関連位置は前記第１の画像における前記第２の画像の垂直および／または水平の撮影方向を含む請求項１〜３のいずれかに記載の検査システム。
【請求項５】
検査対象に関する検査情報と前記検査情報に関連する図面情報を含む検査シートに基づいて検査情報および図面情報を表示する表示部と、
前記検査対象に対応する検査結果を入力する検査結果入力部と、
前記検査対象の撮影ポイントを入力する撮影ポイント入力部と、
前記検査対象を被写体とした第１の画像および第２の画像を含む複数の画像を撮影可能な撮影部と、
前記撮影部の撮影した第１の画像上の所望の位置のうち前記第２の画像を関連づけるべき位置である関連位置を指定する関連位置指定部と、
前記検査結果入力部の入力した検査結果と前記撮影ポイント入力部の入力した撮影ポイントと前記関連位置指定部の指定した関連位置と前記第１の画像と前記第２の画像を対応づけた検査結果データを記憶する記憶部と、
を備える携帯端末。
【請求項６】
前記表示部は、前記記憶部に記憶された検査結果データに基づいて、前記第１の画像の関連位置と前記第２の画像とを対応づけて表示する請求項５に記載の携帯端末。
【請求項７】
前記撮影ポイント入力部は前記図面情報上の所定の複数の検査箇所の中から所望の検査箇所の位置情報を選択する請求項５または６に記載の携帯端末。
【請求項８】
前記撮影ポイント入力部は前記図面情報上の任意の検査箇所の位置情報を入力する請求項５または６に記載の携帯端末。
【請求項９】
携帯端末が、
検査対象に関する検査情報と前記検査情報に関連する図面情報を含む検査シートに基づいて検査情報および図面情報を表示するステップと、
前記検査対象に対応する検査結果を入力するステップと、
前記検査対象の撮影ポイントを入力するステップと、
前記検査対象を被写体とした第１の画像および第２の画像を含む複数の画像を撮影するステップと、
前記撮影した第１の画像上の位置のうち前記第２の画像を関連づけるべき位置である関連位置を指定するステップと、
前記入力した検査結果と前記入力した撮影ポイントと前記指定した関連位置と前記第１の画像と前記第２の画像を対応づけた検査結果データを記憶するステップと、
を実行する検査方法。
【請求項１０】
請求項９に記載の検査方法を携帯端末に実行させるための検査プログラム。
【発明の詳細な説明】
【技術分野】
【０００１】
本発明は、検査業務を支援するシステムに関する。
【背景技術】
【０００２】
ビル建設などの工事における施行検査業務、例えば配筋検査と呼ばれる鉄筋の配置状況をチェックする検査に関して、これを効率的に行うためのシステムが従来開発されている。
【０００３】
特許文献１では、携帯端末において、撮影対象の各工事の撮影図面および撮影対象の各工事の工事名称、工事設計値を含む工事写真チェックリストを記憶する。記憶された各工事の撮影図面および工事写真チェックリストの各工事の中から操作選択された工事の撮影図面、工事名称、工事設計値、操作入力された該当工事の実測値を含む撮影データを作成する。そして、撮影データが表示された状態におけるカメラ撮影操作に応じて、工事の写真データを得る。撮影した工事の写真番号と実測値とを工事写真チェックリストに書込む。最後に、各工事の写真データおよび更新後の工事写真チェックリストを外部の工事写真編集装置へ送信する。
【０００４】
特許文献２では、撮影した画像を記録する記録装置は、複数の画像を入力する撮影部と、入力された画像を一時的に格納するバッファメモリと、注目画像ファイルを作成する処理部と、注目画像ファイルを記録する記録部と、複数の画像を一覧表示する画像表示部と、一覧表示された画像から注目画像を指定する選択入力部とを備える。
【先行技術文献】
【特許文献】
【０００５】
【特許文献１】特開２００６−１４６６８２号公報
【特許文献２】特開２００１−１１１９４７号公報
【発明の概要】
【発明が解決しようとする課題】
【０００６】
建設工事における施行検査業務を、携帯情報端末を用いて効率化するシステムを考えると、特許文献１および２の技術では、検査時に撮影する検査写真の撮影ポイントを図面上から決定する場合、撮影後の画像に撮影ポイントの垂直方向の位置を示すのが困難である。また、特許文献１および２の技術では、詳細画像（ズームアップ画像）を撮影した場合、それが検査後に撮影ポイント周辺のどこを撮影したものかを把握するのが困難である。すなわち、ある撮影ポイントに対して複数枚撮影した場合、それぞれの画像の関連性を明確に保持しておくことが困難である。特許文献２は親画像と子画像という関連づけはできるが、画像上の位置指定のような関連づけはできない。
【０００７】
そこで、本発明は、携帯情報端末を用いて、検査時に検査写真の撮影ポイントを図面上または画像上に指定することを可能にすることで、垂直／水平方向の情報を持たせることを可能とし、さらに全体画像と詳細画像の関係を持った構造化した検査画像情報を作成可能にする。
【課題を解決するための手段】
【０００８】
本発明は、検査対象に関する検査情報と検査情報に関連する図面情報とを入力する検査情報入力部と、検査情報入力部の入力した検査情報および図面情報に基づいて検査シートを生成する検査シート生成部と、を有する検査シート生成装置と、検査シート生成部の生成した検査シートに基づいて検査情報および図面情報を表示する表示部と、検査対象に対応する検査結果を入力する検査結果入力部と、検査対象の撮影ポイントを入力する撮影ポイント入力部と、検査対象を被写体とした第１の画像および第２の画像を含む複数の画像を撮影可能な撮影部と、撮影部の撮影した第１の画像上の所望の位置のうち第２の画像を関連づけるべき位置である関連位置を指定する関連位置指定部と、検査結果入力部の入力した検査結果と撮影ポイント入力部の入力した撮影ポイントと関連位置指定部の指定した関連位置と第１の画像と第２の画像を対応づけた検査結果データを記憶する記憶部と、を有する携帯端末と、を備える検査システムを提供する。
【０００９】
好ましくは、検査システムは、記憶部に記憶された検査結果データを所定のサーバに送信する送信部を備える。
【００１０】
サーバは、検査結果の内容と不具合対応依頼のフォームとを対応づけたテーブルを格納するテーブル格納部と、検査結果データを受信する受信部と、受信部の受信した検査結果データの示す検査結果に対応するフォームを特定し、特定されたフォームと検査結果データに従って不具合対応依頼情報を作成する作成部と、を備える。
【００１１】
好ましくは、関連位置は第１の画像における第２の画像の垂直および／または水平の撮影方向を含む。
【００１２】
本発明は、検査対象に関する検査情報と検査情報に関連する図面情報を含む検査シートに基づいて検査情報および図面情報を表示する表示部と、検査対象に対応する検査結果を入力する検査結果入力部と、検査対象の撮影ポイントを入力する撮影ポイント入力部と、検査対象を被写体とした第１の画像および第２の画像を含む複数の画像を撮影可能な撮影部と、撮影部の撮影した第１の画像上の所望の位置のうち第２の画像を関連づけるべき位置である関連位置を指定する関連位置指定部と、検査結果入力部の入力した検査結果と撮影ポイント入力部の入力した撮影ポイントと関連位置指定部の指定した関連位置と第１の画像と第２の画像を対応づけた検査結果データを記憶する記憶部と、を備える携帯端末を提供する。
【００１３】
好ましくは、表示部は、記憶部に記憶された検査結果データに基づいて、第１の画像の関連位置と第２の画像とを対応づけて表示する。
【００１４】
好ましくは、撮影ポイント入力部は図面情報上の所定の複数の検査箇所の中から所望の検査箇所の位置情報を選択する。
【００１５】
好ましくは、撮影ポイント入力部は図面情報上の任意の検査箇所の位置情報を入力する。
【００１６】
本発明は、携帯端末が、検査対象に関する検査情報と検査情報に関連する図面情報を含む検査シートに基づいて検査情報および図面情報を表示するステップと、検査対象に対応する検査結果を入力するステップと、検査対象の撮影ポイントを入力するステップと、検査対象を被写体とした第１の画像および第２の画像を含む複数の画像を撮影するステップと、撮影した第１の画像上の位置のうち第２の画像を関連づけるべき位置である関連位置を指定するステップと、入力した検査結果と入力した撮影ポイントと指定した関連位置と第１の画像と第２の画像を対応づけた検査結果データを記憶するステップと、を実行する検査方法を提供する。
【００１７】
この検査方法を携帯端末に実行させるための検査プログラムも本発明に含まれる。
【発明の効果】
【００１８】
本発明によると、上位の検査写真の所望の位置に対する下位の検査写真のデータ上の関連づけを行うとともに、上位の検査写真と下位の検査写真の関連性を視覚的に示すことが可能である。
【図面の簡単な説明】
【００１９】
【図１】建設検査システムの概略構成図
【図２】建設検査システムの処理内容の概要を示す図
【図３】カメラ付き携帯端末のブロック図
【図４】検査シート生成処理のフローチャート
【図５】検査業務処理のフローチャート
【図６】伏図の一例を示す図
【図７】検査対象部材の選択例を示す図
【図８】選択された検査対象部材に対応する検査内容と部材図面の表示例を示す図
【図９】任意点検査の場合の検査ポイント指定、検査写真、検査結果入力の一例を示す図
【図１０】検査写真関連づけ処理のフローチャート
【図１１】定点検査の場合の伏図、部材、検査写真の表示例を示す図
【図１２】任意点検査の場合のビューワ画面および検査ポイント選択画面と、子の検査写真のアイコンの表示例の一例を示す図
【図１３】関連位置の指定の例を示す図
【図１４】関連位置の指定の他の例を示す図
【図１５】定点検査の場合の子の検査写真の表示例を示す図
【図１６】任意点検査の場合の子の検査写真の表示例を示す図
【図１７】検査写真再関連づけ処理のフローチャート
【図１８】検査レポート作成画面の一例を示す図
【図１９】検査レポート出力画面の一例を示す図
【図２０】不具合対応依頼処理のフローチャート
【図２１】不具合依頼テーブルの一例を示す図
【図２２】本システムの適用例（建設現場の検査）の概念説明図
【図２３】本システムの適用例（電信柱の保守点検）の概念説明図
【図２４】本システムの適用例（プラントの保守点検）の概念説明図
【発明を実施するための形態】
【００２０】
＜第１実施形態＞
図１は本発明の好ましい実施形態に係る建設検査システムの概略構成を示す。このシステムは、サーバ１、パソコン（ＰＣ）２、カメラ付き携帯端末３を含む。サーバ１、パソコン２、カメラ付き携帯端末３、プリンタ４は、ネットワーク５を介して相互に接続可能である。ネットワーク５の経路は任意であり、移動体通信網、インターネット、ＬＡＮ、赤外線通信やBluetoothなどの無線ネットワーク、ＵＳＢケーブルなどの有線ネットワークなどの公知の通信手段、あるいはそれらのうちの一部または全部の組み合わせで構築されることができる。また、ネットワーク５とは、オンデマンド接続のデータ通信経路であれば足り、常時通信可能でなければならないものではない。
【００２１】
サーバ１は、検査情報を一元的に検査情報ＤＢ１ａにて管理する。サーバ１およびパソコン２は、コンピュータ（ＣＰＵ，ＲＡＭ，ＲＯＭなど演算処理に必要な回路、データ記憶媒体、データ入出力回路、表示回路、操作装置、通信回路などを備えたもの）で構成することができる。検査情報ＤＢ１ａは、ハードディスクユニットのような大容量記憶媒体で構成することができる。
【００２２】
検査情報ＤＢ１ａに蓄積される検査情報は、工事物件名、検査図面、検査種類（配筋検査など）、検査箇所（建物の階数など）、検査対象（柱、梁、壁など）、検査項目（種類、数、ピッチなど）、検査ポイント（柱の断面を外側から囲む等間隔で配置された点など）を含む。検査図面は、見取り図面（伏図）、部材図面（配筋図、断面図など）を含み、部材図面および検査対象は、見取り図面に配置された各部材の位置に対応づけられている。
【００２３】
以下の説明において、「任意点検査」とは、携帯端末３で検査図面を表示し、その検査図面上の任意の検査箇所を指定して、指定された検査箇所に対応する検査結果と検査写真とを携帯端末３で取得し、それらを対応づけて所定の記憶媒体（検査情報ＤＢ１ａなど）に保存する処理をいう。また、「定点検査」とは、携帯端末３で検査図面を表示し、その検査図面上で予め規定された検査箇所の中から任意の検査箇所を指定して、指定された検査箇所に対応する検査結果と検査写真とを携帯端末３で取得し、それらを対応づけて所望の記憶媒体に保存する処理をいう。
【００２４】
図２は建設検査システムの処理内容の概要を示す。このシステムでは、検査シートの生成（Ｓｔｅｐ１）、検査結果の入力および検査写真の撮影（Ｓｔｅｐ２）、検査結果の反映された検査レポート出力（Ｓｔｅｐ３）が実行される。これらの処理の具体的流れは後述する。
【００２５】
図３は、カメラ付き携帯端末３の構成を例示する。カメラ付き携帯端末３全体の動作は中央処理装置（ＣＰＵ）３０によって統括制御される。ＣＰＵ３０は、所定のプログラムに従って動作を制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００２６】
バス３２を介してＣＰＵ３０と接続されたＲＯＭ３４には、ＣＰＵ３０が実行するプログラム及び制御に必要な各種データ等が格納され、ＥＥＰＲＯＭ３６には、ＣＣＤ画素欠陥情報、カメラ動作に関する各種定数／情報等が格納されている。
【００２７】
また、メモリ（ＳＤＲＡＭ）３８は、プログラムの展開領域及びＣＰＵ３０の演算作業用領域として利用されるとともに、画像データや音声データの一時記憶領域として利用される。ＶＲＡＭ４０は画像データ専用の一時記憶メモリであり、Ａ領域４０ＡとＢ領域４０Ｂが含まれている。メモリ３８とＶＲＡＭ４０は共用することが可能である。
【００２８】
カメラ付き携帯端末３にはモード選択スイッチ４２、撮影ボタン４４、メニュー／ＯＫキー、十字キー、キャンセルキー、ジョグダイヤル、タッチパネル１３などの操作手段４６が設けられている。これら各種の操作部（４２〜４６）からの信号はＣＰＵ３０に入力され、ＣＰＵ３０は入力信号に基づいてカメラ付き携帯端末３の各回路を制御し、例えば、レンズ駆動制御、撮影動作制御、画像処理制御、画像データの記録／再生制御、画像表示装置４８の表示制御などを行う。
【００２９】
タッチパネル１３は画像表示装置４８に積層されており、画像表示装置４８の画面座標に対応する押圧位置を示す電気信号をＣＰＵ３０に送る。タッチパネル１３は、操作手段４６の構成の１つである。ＣＰＵ３０は、画像表示装置４８の表示領域上でのタッチパネル１３に対するアクション、例えばシングルタップ、ダブルタップ、タップ＆ドラッグ（フリックアクション）を判別する。シングルタップとは単独の押圧位置の入力、ダブルタップとは２度の異なる押圧位置の入力、タップ＆ドラッグ（フリックアクション）とは最初に検知された押圧位置を起点に押圧位置がある別の位置まで連続的にスライドしたことを意味する。ダブルタップあるいはタップ＆ドラッグは、矩形領域の対角点を示すことと類似し、ユーザはどのような矩形領域を指定しているかを直感的に理解しやすい。
【００３０】
モード選択スイッチ４２は、撮影モードと再生モードとを切り換えるための操作手段である。モード選択スイッチ４２を操作して可動接片４２Ａを接点ａに接続させると、その信号がＣＰＵ３０に入力され、カメラ付き携帯端末３は撮影モードに設定され、可動接片４２Ａを接点ｂに接続させると、カメラ付き携帯端末３は記録済みの画像を再生する再生モードに設定される。
【００３１】
撮影ボタン４４は、撮影開始の指示を入力する操作ボタンであり、半押し時にＯＮするＳ１スイッチと、全押し時にＯＮするＳ２スイッチとを有する二段ストローク式のスイッチで構成されている。
【００３２】
画像表示装置４８は、カラー表示可能な液晶ディスプレイその他の表示手段で構成されている。画像表示装置４８は、撮影時に画角確認用の電子ファインダとして使用できるとともに、記録済み画像を再生表示する手段として利用される。また、画像表示装置４８は、ユーザインターフェース用表示画面としても利用され、必要に応じてメニュー情報や選択項目、設定内容などの情報が表示される。
【００３３】
モード選択スイッチ４２によって撮影モードが選択されると、カラーＣＣＤ固体撮像素子（以下ＣＣＤと記載）５０を含む撮像部に電源が供給され、撮影可能な状態になる。
【００３４】
レンズユニット６０は、フォーカスレンズを含む撮影レンズ６２と絞り兼用メカシャッター６４とを含む光学ユニットである。レンズユニット６０は、ＣＰＵ３０によって制御されるレンズ駆動部６６、絞り駆動部６８によって電動駆動され、ズーム制御、フォーカス制御及びアイリス制御が行われる。
【００３５】
レンズユニット６０を通過した光は、ＣＣＤ５０の受光面に結像される。ＣＣＤ５０の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ５０は、各フォトダイオードの電荷蓄積時間（シャッタースピード）を制御する電子シャッター機能を有している。ＣＰＵ３０は、タイミングジェネレータ７０を介してＣＣＤ５０での電荷蓄積時間を制御する。尚、ＣＣＤ５０に代えてＭＯＳ型など他の方式の撮像素子を用いてもよい。
【００３６】
ＣＣＤ５０の受光面に結像された被写体像は、各フォトダイオードによって入射光量に応じた量の信号電荷に変換される。各フォトダイオードに蓄積された信号電荷は、ＣＰＵ３０の指令に従いタイミングジェネレータ７０から与えられる駆動パルスに基づいて信号電荷に応じた電圧信号（画像信号）として順次読み出される。
【００３７】
ＣＣＤ５０から出力された信号はアナログ処理部（ＣＤＳ／ＡＭＰ）７２に送られ、ここで画素ごとのＲ，Ｇ，Ｂ信号がサンプリングホールド（相関二重サンプリング処理）され、増幅された後、Ａ／Ｄ変換器７４に加えられる。Ａ／Ｄ変換器７４によってデジタル信号に変換された点順次のＲ，Ｇ，Ｂ信号は、画像入力コントローラ７６を介してメモリ３８に記憶される。
【００３８】
画像信号処理回路７８は、メモリ３８に記憶されたＲ，Ｇ，Ｂ信号をＣＰＵ３０の指令に従って処理する。即ち、画像信号処理回路７８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ３０からのコマンドに従ってメモリ３８を活用しながら所定の信号処理を行う。
【００３９】
画像信号処理回路７８に入力されたＲＧＢの画像データは、画像信号処理回路７８において輝度信号（Ｙ信号）及び色差信号（Ｃr,Ｃb 信号）に変換されるとともに、ガンマ補正等の所定の処理が施される。画像信号処理回路７８で処理された画像データはＶＲＡＭ４０に格納される。
【００４０】
撮影画像を画像表示装置４８にモニタ出力する場合、ＶＲＡＭ４０から画像データが読み出され、バス３２を介してビデオエンコーダ８０に送られる。ビデオエンコーダ８０は、入力された画像データを表示用の所定方式の信号（例えば、ＮＴＳＣ方式のカラー複合映像信号）に変換して画像表示装置４８に出力する。
【００４１】
ＣＣＤ５０から出力される画像信号によって、１コマ分の画像を表す画像データがＶＲＡＭ４０のＡ領域４０ＡとＢ領域４０Ｂとで交互に書き換えられる。ＶＲＡＭ４０のＡ領域４０Ａ及びＢ領域４０Ｂのうち、画像データが書き換えられている方の領域以外の領域から、書き込まれている画像データが読み出される。このようにしてＶＲＡＭ４０内の画像データが定期的に書き換えられ、その画像データから生成される映像信号が画像表示装置４８に供給されることにより、撮像中の映像がリアルタイムに画像表示装置４８に表示される。撮影者は、画像表示装置４８に表示される映像（スルームービー画）によって撮影画角を確認できる。
【００４２】
撮影ボタン４４が半押しされ、Ｓ１がオンすると、端末３はＡＥ及びＡＦ処理を開始する。即ち、ＣＣＤ５０から出力された画像信号はＡ／Ｄ変換後に画像入力コントローラ７６を介してＡＦ検出回路８２並びにＡＥ／ＡＷＢ検出回路８４に入力される。
【００４３】
ＡＥ／ＡＷＢ検出回路８４は、１画面を複数のエリア（例えば、１６×１６）に分割し、分割エリアごとにＲＧＢ信号を積算する回路を含み、その積算値をＣＰＵ３０に提供する。ＣＰＵ３０は、ＡＥ／ＡＷＢ検出回路８４から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ３０はＣＣＤ５０の電子シャッター及びアイリスを制御して適正な露光量を得る。
【００４４】
また、ＡＥ／ＡＷＢ検出回路８４は、自動ホワイトバランス調整時には、分割エリアごとにＲＧＢ信号の色別の平均積算値を算出し、その算出結果をＣＰＵ３０に提供する。ＣＰＵ３０は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。
【００４５】
本端末３におけるＡＦ制御は、例えば映像信号のＧ信号の高周波成分が極大になるようにフォーカシングレンズ（撮影レンズ６２を構成するレンズ光学系のうちフォーカス調整に寄与する移動レンズ）を移動させるコントラストＡＦが適用される。即ち、ＡＦ検出回路８２は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００４６】
ＡＦ検出回路８２で求めた積算値のデータはＣＰＵ３０に通知される。ＣＰＵ３０は、レンズ駆動部６６を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部６６を制御する。尚、ＡＦ評価値の演算はＧ信号を利用する態様に限らず、輝度信号（Ｙ信号）を利用してもよい。
【００４７】
撮影ボタン４４が半押しされ、Ｓ１オンによってＡＥ／ＡＦ処理が行われ、撮影ボタン４４が全押しされ、Ｓ２オンによって記録用の撮影動作がスタートする。Ｓ２オンに応動して取得された画像データは画像信号処理回路７８において輝度／色差信号（Ｙ／Ｃ信号）に変換され、ガンマ補正等の所定の処理が施された後、メモリ３８に格納される。
【００４８】
メモリ３８に格納されたＹ／Ｃ信号は、圧縮伸張回路８６によって所定のフォーマットに従って圧縮された後、カードリーダ／ライタ２２を介してメモリカード１００に記録することができる。例えば、静止画についてはJPEG（Joint Photographic Experts Group）形式で記録される。
【００４９】
モード選択スイッチ４２により再生モードが選択されると、メモリカード１００に記録されている最終の画像ファイル（最後に記録されたファイル）の圧縮データが読み出される。最後の記録に係るファイルが静止画ファイルの場合、この読み出された画像圧縮データは、圧縮伸張回路８６を介して非圧縮のＹＣ信号に伸張され、画像信号処理回路７８及びビデオエンコーダ８０を介して表示用の信号に変換された後、画像表示装置４８に出力される。これにより、当該ファイルの画像内容が画像表示装置４８の画面上に表示される。
【００５０】
静止画の一コマ再生中（動画の先頭フレーム再生中も含む）に、十字キーの右キー又は左キーを操作することによって、再生対象のファイルを切り換えること（順コマ送り／逆コマ送り）ができる。コマ送りされた位置の画像ファイルがメモリカード１００から読み出され、上記と同様にして静止画像や動画が画像表示装置４８に再生表示される。
【００５１】
また、カメラ付き携帯端末３は、送話音声を入力するマイクロフォン１２と、受話音声を出力するスピーカ１４と、マイクロフォン１２から入力された音声の符号化及び受信した音声の復号化を行う音声処理部２６と、サーバ１、ＰＣ２あるいは別の携帯端末３と移動体通信網を介して音声、画像その他のデータを通信する通信回路１５を備える。
【００５２】
カメラ付き携帯端末３は、公知のカメラ付き携帯電話やカメラ付きＰＤＡなどで構成できる。なお、音声の通話に関わる回路はなくてもよい。
【００５３】
図４は検査シート生成処理のフローチャートを示す。ＰＣ２はウェブブラウザでサーバ１のＵＲＬを指定することでサーバ１にアクセスし、ユーザアカウント情報（ＩＤとパスワードの組み合わせなど）をサーバ１に送信する。サーバ１は受信したユーザアカウント情報とＤＢ１ａに予め蓄積された正当なユーザアカウント情報とを照合し、その照合結果に基づいてＰＣ２を認証する。サーバ１は、認証完了後、ＰＣ２への指示（専用のボタンアイコンの押下など）があったことに応じてこの処理を開始する。この処理をサーバ１およびＰＣ２に実行させるプログラムはサーバ１およびＰＣ２の記憶媒体に記憶されている。
【００５４】
Ｓ１では、サーバ１はＰＣ２に対し、検査情報入力画面を送信する。ＰＣ２は当該画面をサーバ１から受信して表示し、当該画面に沿って検査情報の入力を受け付ける。検査情報の入力方式は任意であり、キーボードその他の操作装置によるテキスト入力や、リストボックスからの項目選択により行うことができる。
【００５５】
例えば、任意点検査の場合、検査情報として、「電柱番号＊＊番」、検査種類「ひび割れ検査」などを入力できる。定点検査の場合、検査情報として、工事物件名「○○ビル」、検査種類「配筋検査」、検査箇所「３Ｆ」、検査対象部材「柱」、検査ポイント「１」、・・・、「９」などを入力できる。ＰＣ２は操作装置から入力された検査情報を一時ＲＡＭに蓄える。検査対象部材は複数入力できる。任意点検査の検査シートを作成するか定点検査の検査シートを作成するかは、ＰＣ２の操作手段から任意に選択される。
【００５６】
Ｓ２では、ＰＣ２は当該画面の指示に従って検査図面の入力を受け付ける。図６に例示するような検査図面は、ＰＣ２上で動作するＣＡＤアプリケーションから出力されたものや、ＰＤＦ、ｊｐｅｇ画像など各種の規格に従っている。ＰＣ２に保存されている図面の中から所望の図面ファイルの選択を受け付け、選択された図面ファイルを検査図面としてもよい。ＰＣ２は入力された検査図面を一時ＲＡＭに蓄える。
【００５７】
またＰＣ２は、定点検査の場合、Ｓ１で入力された検査対象部材に、当該検査対象部材に相当する個々の部材図面および当該検査対象部材の存在する見取り図面上の位置を指定する情報である部材関連情報の入力を受け付ける。すなわち、各検査対象部材は見取り図面上で固有の設置位置を有しており、かつそれぞれ固有の構造を有するため、本ステップでは、各検査対象部材の見取り図面上での設置位置を示す位置情報および各検査対象部材の構造を特定する情報である部材図面を含む部材関連情報を確保する。
【００５８】
Ｓ３では、ＰＣ２は、当該画面の指示に従って検査内容の入力を受け付ける。検査内容とは、この検査においてどのような項目や内容をチェックするかを具体的に示す情報であり、これもデータ形式やフォーマットは任意である。例えば、定点検査の場合、「種類」、「数」、「ピッチ」などの文章を記述したテキストデータ、当該テキストデータに付随するチェックボックスのグラッフィックデータ、断面図の図面ファイルなどが挙げられる。ＰＣ２は入力された検査内容を一時ＲＡＭに蓄える。
【００５９】
Ｓ４では、ＰＣ２は一時ＲＡＭに蓄えられた検査情報と検査図面を対応づけた検査データをサーバ１に送信する。ＰＣ２は、定点検査の場合、これらに加え、部材関連情報および検査内容も含んだ検査データをサーバ１に送信することができる。
【００６０】
サーバ１は、ＰＣ２から登録された検査データに基づいて検査シートを生成する。具体的には、まず、入力された検査情報を基に、検査情報ＤＢ１ａに予め保存されているテンプレートを読み出す。例えば、検査種類「配筋検査」および検査対象部材「柱」という情報から、「柱の配筋検査用テンプレート」を検査情報ＤＢ１ａから読み出す。あるいは、検査種類「電柱検査」という情報から、「電柱検査用テンプレート」を検査情報ＤＢ１ａから読み出す。
【００６１】
テンプレートは、検査情報および検査図面の配置パターンと表示形式を規定している。
【００６２】
定点検査の場合、テンプレートは、ＸＭＬのようなマークアップ言語を用いて、検査情報に含まれる工事物件名、検査種類および検査箇所と伏図とを相互に参照可能にする第１のリンク情報、検査情報に含まれる各検査対象部材に対応する部材図面（断面図）と伏図上での各検査対象部材の位置情報とを相互に参照可能にする第２のリンク情報、各検査対象部材とそれらの検査結果とを相互に参照可能にする第３のリンク情報、同一の検査箇所に対応する複数の検査写真を相互に参照可能にする第４のリンク情報を含んでいる。
【００６３】
任意点検査の場合、テンプレートは、ＸＭＬのようなマークアップ言語を用いて、検査情報に含まれる工事物件名および検査種類（ただし任意項目）と伏図とを相互に参照可能にする第１のリンク情報、伏図と伏図上で任意に設定された検査対象の位置情報とを相互に参照可能にする第２のリンク情報、各検査対象とそれらの検査結果とを相互に参照可能にする第３のリンク情報、同一の検査対象に対応する複数の検査写真を相互に参照可能にする第４のリンク情報を含んでいる。
【００６４】
ただし、テンプレートは、検査シートと異なり、検査データの値は未設定である。またテンプレートは、検査レポートと異なり、検査結果と検査写真の値は未設定である。
【００６５】
サーバ１は、読み出したテンプレートの中の空の検査情報および検査図面を、ＰＣ２から受信した検査情報および検査図面で埋めることで検査シートを作成する。
【００６６】
見取り図はテンプレートの見取り図配置位置に埋められるが、サイズが合わない場合は見取り図を拡大、縮小または任意の範囲でトリミングした上で埋める。
【００６７】
部材図面が入力されている場合は、各部材図面に対応する見取り図面上の位置情報に基づいて、当該見取り図面上における各検査対象部材の位置情報がテンプレートに埋められる。この位置情報は見取り図面上でのＸＹ座標情報、あるいはその代替物、例えば通り芯番号で表現される。
【００６８】
検査内容もテンプレートの検査内容配置位置に埋められるが、部材図面の中に検査内容が含まれている場合はこの処理を省略できる。
【００６９】
サーバ１は、作成した検査シートをＤＢ１ａに保存する。
【００７０】
なお、上記の作成を処理するプログラムの実行主体がサーバ１でなくＰＣ２であってもよく、サーバ１でなくＰＣ２が検査シートを作成することもできる。テンプレートがサーバ１にある場合は、ＰＣ２がテンプレートをサーバ１に要求して送信させ、それを受信して、入力された検査情報などを埋め込んでいく。ＰＣ２で作成された検査シートはサーバ１に送信され、ＤＢ１ａに保存される。
【００７１】
そして、サーバ１は、検査データ（検査情報および検査図面）の埋められたテンプレートを検査シートとする。
【００７２】
テンプレートの規定する検査情報および検査図面のレイアウトは任意であるが、携帯端末３での表示レイアウトを規定し、またＰＣ２に接続されたプリンタ４での印刷レイアウ
トを規定することもできる。あるいは、携帯端末３での表示レイアウト、プリンタ４での印刷レイアウトは、それぞれ携帯端末３あるいはプリンタ４のアプリケーションが決定してもよい。
【００７３】
出来上がった検査シート（検査結果の埋め込まれていないもの）の内容をユーザに確認させるため、サーバ１は、作成された検査シートをプリンタ４で印刷可能なプリントデータに変換した上でプリンタ４に出力し、プリンタ４で検査シートを印刷させてもよい。
【００７４】
また、サーバ１は、出来上がった検査シートの内容を、現場責任者などの上位責任者のアカウント権限でサーバ１にログオンしたＰＣ２や携帯端末３のユーザに閲覧させるとともに、承認または否決の入力を受け付け、承認が入力されればＤＢ１ａに保存し、否決が入力されればＤＢ１ａに保存しないようにしてもよい。
【００７５】
図５は検査業務処理のフローチャートを示す。この処理をサーバ１および携帯端末３に実行させるためのプログラムはサーバ１や携帯端末３の記憶媒体に記憶されている。
【００７６】
Ｓ１１では、携帯端末３からサーバ１に検査員の権限でログインし、検査処理の開始を指令する。このとき、携帯端末３は検査員によって検査現場まで携帯されているものとする。携帯端末３から検査処理の開始を指令があった場合、サーバ１はＤＢ１ａに保存された検査シートをオープンして携帯端末３に送信する。もしＤＢ１ａに保存された検査シートが複数の場合、サーバ１は携帯端末３から選択された検査シートを送信する。あるいは、サーバ１は検査シートに検査実施日時を対応づけてＤＢ１ａに保存しておき、携帯端末３から検査処理の開始を指令があった日時と一致ないし最も近接する検査実施日時に対応する検査シートを携帯端末３に送信する。
【００７７】
また、サーバ１はログインしてきた検査員の名前や検査日時を検査シートに埋め込む検査情報に加えてもよい。検査日時はアクセス日時、検査員の名前はログインユーザ名で代替できる。
【００７８】
サーバ１は各種のデータを携帯端末３から受信してこれをオープンした検査シートと対応づけてＤＢ１ａに保存できる。携帯端末３からサーバ１へのデータ送信のタイミングは任意であり、携帯端末３からデータ入力があるごとでもよいし、特定のタイミング、例えば検査処理の終了時に一括送信してもよい。
【００７９】
携帯端末３は、サーバ１から受信した検査シートをメモリ３８などの記憶媒体に保存し、保存された検査シートの画像データを映像信号に変換して画像表示装置４８に表示する。検査シートの表示の方法は任意である。例えば、定点検査の場合は、各検査対象部材の設置位置が示された伏図（図６参照）を表示するビューワ画面でもよいし、検査ポイントが箇条書きに列挙されたリスト画面でもよく、さらにビューワ画面またはリスト画面の表示を操作装置への指示に応じて相互に切り替えてもよい。
【００８０】
任意点検査の場合は検査対象の全体図面（図９参照）を拡縮可能に表示するビューワ画面が好ましい。
【００８１】
Ｓ１２では、携帯端末３は、画像表示装置４８に表示された伏図から、所望の検査対象部材の位置の選択を受け付ける。選択の方法は任意である。
【００８２】
定点検査の場合、携帯端末３は、操作手段４６の十字キーの押下に従って伏図上に配置された検査対象部材を矩形などのマークで示し、そのマーク間をカーソル移動し、所望のカーソル位置でＯＫキーが押下されたことに応じてカーソル位置のある検査対象部材を選択する（図７）。あるいは、伏図上に配置された各検査対象部材に対応する数字キーを押下させることで検査対象部材を選択する。あるいは、伏図上の各検査対象部材の存在位置のうち所望の検査対象部材の存在位置をタッチ指定することで検査対象部材を選択する。タッチ指定された場所にマークを配置してカーソルを移動できるようにしてもよい。
【００８３】
定点検査の場合、複数存在する検査対象部材の中からどのような順序で検査対象部材を選択していくかも任意であるが、予め検査対象部材の順序を検査情報に含ませておき、その順序に従った選択しか受け付けないようにしてもよい。
【００８４】
また定点検査の場合、携帯端末３は、選択された検査対象部材に対応する検査内容と部材図面を画像表示装置４８に表示する。図８はその表示画面の例である。この画面では、柱の部材を示す断面図が具体的な検査項目（部材の種類、数、ピッチなど）とともに表示されている。また、各検査項目に対応する検査結果がＯＫかＮＧかを入力可能なチェックボックスも表示されている。また、選択された検査対象部材に対応した検査ポイントのパターン、例えば柱の水平断面の周囲から柱を見込む撮影方向を示す検査ポイント１〜９のうちいずれか１つに操作手段４６の十字キーでカーソルをセットしたり、あるいはタッチパネル１３からの検査ポイントの表示位置への押圧操作などで選択できる。検査ポイントは図示のものに限らない。例えば、検査対象部材が壁であれば、壁左側面、中央、右側面の３つから所望の１つを選択させることもできる。検査ポイントのうち検査済みのポイント、検査済みでないポイント、検査中のポイントを色分けして表示してもよい。例えば、検査済みのポイントは青、検査済みでないポイントは赤、検査中のポイントは黄で表示する。
【００８５】
また定点検査の場合、携帯端末３が、操作手段４６を介して検査ポイント「１」の選択および検査結果の入力を受け付ける。図８の画面では、検査ポイントの選択入力と、部材の種類、数、ピッチなどの検査項目がＯＫかＮＧかを示すチェックの入力を受け付けることができる。その他、検査結果を操作装置からテキスト入力させてもよいし、携帯端末３のボイスメモ機能を利用して検査者の発話音声を検査結果あるいは改修指示の内容を入力させてもよい。
【００８６】
一方任意点検査の場合、携帯端末３は、全体図面上の任意の位置をカーソル指定やタップ指定することで検査ポイント（検査対象点）を指定する（図９（ａ）参照）。
【００８７】
Ｓ１３では、携帯端末３が、選択ないし指定された検査ポイントから見た検査対象の現状を被写体とする画像の撮影の指示を撮影ボタン４４を介して受け付け、撮影指示に応じて開始した撮影によって得られた画像である検査写真をメモリ３８に取得する。
【００８８】
Ｓ１４では、携帯端末３が、得られた検査写真を画像表示装置４８に表示する（図９（ｂ）参照）。
【００８９】
Ｓ１５では、携帯端末３が、検査結果の入力を受け付ける。検査結果には、検査の合否や異常種別などが含まれる（図９（ｃ）参照）。携帯端末３は、検査写真、検査シート、選択された検査対象部材（ただし定点検査の場合のみ）および検査ポイントを対応づけて再びメモリ３８に保存する。
【００９０】
Ｓ１６では、携帯端末３は、全ての検査対象に対応する検査結果の入力および検査写真の撮影が終わった旨の確認入力を操作手段４６を介して受け付けたか否かに応じて、全ての検査対象部材に対応する検査写真の撮影が終わったか否かを判断する。Ｙｅｓと判断された場合はＳ１７に進む。Ｎｏと判断された場合はＳ１２に戻って選択ないし指定された検査ポイントに対応する検査結果の入力と検査写真の撮影を繰り返し、各検査ポイントに対応する検査結果および検査写真を得る。
【００９１】
Ｓ１７では、携帯端末３は、メモリ３８に保存された検査ポイントごとの検査結果と検査写真を、携帯端末３のユーザＩＤと対応づけてサーバ１に送信する。サーバ１はこれを受信し、当該受信したユーザＩＤと検査ポイントごとの検査結果と検査写真とを対応づけた検査結果情報をＤＢ１ａに保存する。
【００９２】
携帯端末３は、各検査ポイントの検査結果を画像表示装置４８に表示する。その表示の形式は任意である。また、図５では検査結果の表示はＳ１４として示しているが、この処理は検査開始後の任意のタイミングで行うことができる。例えば、各検査ポイントでの検査写真の終了の都度検査結果を表示することも可能である。あるいは、現在まで終了した検査結果の状況を、ユーザからの指示に応じて一覧表示してもよい。この際、携帯端末３は、まだ検査結果の入力および検査写真の撮影が終了していない検査対象部材が残っている場合、その検査ポイントを示して検査が完了していない旨を表示画面あるいは音声で通知すれば、検査漏れを防ぐことができる。
【００９３】
あるいは、携帯端末３は、全ての検査対象部材に対応する検査写真の撮影が終わったことに応じ、予め設定された通信相手方（サーバ１、ＰＣ２、他の携帯端末３）に対して検査完了を通知するメールを送信してもよい。特に、ある対象部材に対して検査結果ＮＧが入力された場合、その検査結果ＮＧに対応する対象部材および検査ポイントと検査結果の内容と検査写真とをセットにして、操作手段４６から予め指定された施行担当者の携帯端末３やＰＣ２に改修指示を電子メールその他のデータ通信により通知してもよい。
【００９４】
図１０は検査写真関連づけ処理のフローチャートを示す。この処理をサーバ１および携帯端末３に実行させるためのプログラムはサーバ１や携帯端末３の記憶媒体（ＲＯＭ３４や検査情報ＤＢ１ａなど）に記憶されている。この処理は図５の処理の後に行われる。
【００９５】
Ｓ２１では、携帯端末３は、操作手段４６へ入力された指示に応じて、メモリ３８に保存された伏図、検査写真の撮影済みの部材（定点検査の場合のみ）、検査ポイントを表示するビューワ画面を画像表示装置４８に表示する。
【００９６】
図１１（ａ）は定点検査の場合のビューワ画面の一例を示す。図１２（ａ）は任意点検査の場合のビューワ画面兼検査ポイント選択画面の一例を示す。メモリ３８に伏図などの検査情報あるいは検査写真などの検査結果情報がない場合は、サーバ１のＤＢ１ａからメモリ３８に取得した上で表示する。どの検査写真を表示するかは任意であり、メモリカード１００に格納前のポストビューの画像でもよいしメモリカード１００に格納後の圧縮画像をメモリ３８に展開したものでもよい。
【００９７】
Ｓ２２では、携帯端末３は、上記伏図上の所望の撮影済みの部材・検査ポイントの選択を受け付ける。図１１（ｂ）は定点検査の場合の検査ポイント選択画面の一例を示す。図１２（ａ）は任意点検査の場合のビューワ画面兼検査ポイント選択画面の一例を示す。携帯端末３は、操作手段４６から選択された伏図上の所望の検査ポイントに対応づけられた検査写真をメモリ３８から読み出す。そして、読み出された検査写真そのもの、もしくはその検査写真に代替する検査写真の識別情報の一覧を画像表示装置４８に表示する。なお、検査写真の識別情報の一覧は、各検査写真のアイコン、サムネイル、ファイル名、タイムスタンプ、あるいはそれらを修飾するグラフィックなどから構成できる。
【００９８】
Ｓ２３では、携帯端末３は、操作手段４６を介して、検査ポイントに対応づけられた検査写真の一覧から、所望の検査写真の選択を受け付ける。本処理の説明において、この選択された検査写真を「親の検査写真」と呼ぶ。
【００９９】
Ｓ２４では、携帯端末３は、Ｓ２３で選択された親の検査写真の特定の位置に関連づけられた検査写真（本処理の説明において、この検査写真を「子の検査写真」と呼ぶ）がさらに検査結果情報としてメモリ３８に格納されていれば、Ｓ２３に戻り、その子の検査写真もしくはその代替の識別情報（サムネイルやアイコンなど）を、対応する検査写真の位置情報とともに画像表示装置４８に一覧表示する。
【０１００】
検査ポイントの特定の位置とその位置に対応づけられた子の検査写真ないしその識別情報との関係は、マーカーや吹き出しのようなグラフィックで示すことができる。子の検査写真がメモリ３８に格納されていなければ、Ｓ２５に進む。なお、検査写真の特定の位置に対する子の検査写真の関連づけは後述のＳ２５〜Ｓ２８で実施される。
【０１０１】
図１１（ｃ）は定点検査の場合の親の検査写真の特定の位置に対応する子の検査写真のサムネイルの表示例を示す。図１２（ｂ）は任意点検査の場合の親の検査写真の特定の位置に対応する子の検査写真のアイコンの表示例を示す。
【０１０２】
Ｓ２５では、携帯端末３は、Ｓ２３で選択された親の検査写真を画像表示装置４８に表示した上、当該親の検査写真上で子の検査写真を関連づけるべき所望の位置である関連位置の指定を操作手段４６を介して受け付ける。
【０１０３】
例えば、図１３（ａ）に示すように親の検査写真上の所望の点にカーソルを合わせたり、図１３（ｂ）や図１４に示すように親の検査写真上の所望の点をシングルタップすることで、関連位置の点座標を指定する。親の検査写真の被写体の一部の領域を子の検査写真の被写体とする場合など関連位置を２次元領域とする場合はダブルタップや２点でのカーソルクリックで対角線を指定したりタップ＆ドラッグで矩形領域を指定する（図１３（ｃ））。矩形領域は、その周囲を点線で示したり、領域内を半透明化するなどして示すことができる。指定された関連位置が点であればその点を丸印で示し、指定された関連位置が２次元領域であればその点を矩形印で表示すれば、両者の違いが明確になる。
【０１０４】
Ｓ２６では、携帯端末３が、画像の撮影の指示を撮影ボタン４４を介して受け付け、撮影指示に応じて開始した撮影によって得られた子の検査写真をメモリ３８に保存する。
【０１０５】
Ｓ２７では、メモリ３８に保存された子の検査写真を画像表示装置４８に表示する。図１５は定点検査（配筋検査）の場合の子の検査写真の表示例、図１６は任意点検査の場合の子の検査写真の表示例を示す。
【０１０６】
Ｓ２８では、携帯端末３が、メモリ３８に取得された子の検査写真を、Ｓ２５で指定された上位の検査写真のＩＤ、当該上位の検査写真上の位置を示す座標情報(x, y)、当該位置に一意に割り当てられた撮影ポイントＩＤと対応づけて再びメモリ３８に保存する。これらの情報の対応づけはＸＭＬのようなマークアップ言語を用いたりリレーショナルテーブルを用いることで実現できる。なお、子の検査写真に検査結果をさらに対応づけて保存することもできる。
【０１０７】
携帯端末３は、親の検査写真のＩＤと子の検査写真（ならびにその子の検査写真のＩＤ）と位置情報と検査結果とを検査結果情報としてサーバ１に送信する。なお、建設現場のように移動体通信網の通信状態が不良な位置にカメラ付き携帯端末３がある場合は、カメラ付き携帯端末３を通信状態が良好な場所に移動させて検査結果情報を送信すればよい。検査結果情報のタイミングは、検査結果が入力された都度でもよいし、全ての検査ルーチンが終了した後でもよいし、設定されたスケジュールに従ってもよい。
【０１０８】
検査結果情報には、オプションとして以下の情報を含めてもよい。
【０１０９】
・検査プロフィール情報（現場名、検査種類、検査対象部材、フロアなど）
・検査実施情報（検査実施年月日、検査開始時刻、検査終了時刻、検査担当者氏名）
・図面（現場全体の平面図、検査対象付近を拡大した平面図、伏図、その他補足的な図面など）
・検査ポイント情報（図面上の座標、検査部材の品番）※検査ポイント数分
・検査項目に対応する検査結果（検査ポイントＩＤ、検査項目、不具合の種類、異常の条件、部材種類、および検査項目に対応する検査結果の組）※検査ポイント数分
・撮影ポイント情報（撮影ポイントＩＤ、図面上の座標、図面上の撮影ポイントの垂直／水平方向、関連づけられている数分の撮影ポイント情報）※検査ポイント数分
・関連画像撮影ポイント情報（関連画像ＩＤ，画像上の座標（点の座標値や矩形領域座標値）、関連づけられている数分の関連画像撮影ポイント情報）
なお、検査実施情報、検査結果情報、検査ポイント情報、関連画像撮影ポイント情報は、検査開始後に携帯端末３に入力される情報である。
【０１１０】
図１７は検査写真再関連づけ処理のフローチャートを示す。この処理をサーバ１および携帯端末３に実行させるためのプログラムはサーバ１や携帯端末３の記憶媒体（ＲＯＭ３４や検査情報ＤＢ１ａなど）に記憶されている。この処理は、図４または図５の処理の終了後に開始する。
【０１１１】
Ｓ３１では、携帯端末３は、Ｓ１５またはＳ２６でメモリ３８に保存された「子の検査写真」を画像表示装置４８に表示する。子の検査写真のうちどれを表示するかは任意であり、メモリカード１００に格納前のポストビューの画像でもよいしメモリカード１００に格納後の圧縮画像をメモリ３８に展開したものでもよい。
【０１１２】
Ｓ３２では、携帯端末３は、Ｓ３１で表示された子の検査写真を画像表示装置４８に表示した上、当該子の検査写真に対して従属する下位の検査写真を関連づけるべき所望の位置の指定を操作手段４６を介して受け付ける。
【０１１３】
Ｓ３３では、Ｓ２６と同様である。本処理の説明の限りにおいて、ここで撮影されてメモリ３８に保存された画像を「孫の検査写真」と呼ぶ。
【０１１４】
Ｓ３４では、メモリ３８に保存された孫の検査写真を画像表示装置４８に表示する。
【０１１５】
Ｓ３５では、携帯端末３が、メモリ３８に取得された孫の検査写真を、Ｓ３１で表示された子の検査写真上の位置を示す位置情報と対応づけて再びメモリ３８に保存する。携帯端末３はこの子の検査写真のＩＤと孫の検査写真（ならびにその孫の検査写真のＩＤ）と位置情報を検査結果情報としてサーバ１に送信する。
【０１１６】
Ｓ３６では、Ｓ３４で撮影された孫の検査写真に対して、さらに下位の検査写真を撮影し関連づけるか否かの選択を操作手段４６を介して受け付ける。さらに下位の検査写真を撮影する選択が受け付けられた場合はＳ３１に戻り、Ｓ３４で撮影された下位の検査写真を表示する。さらに下位の検査写真を撮影しない選択が受け付けられた場合は本処理を終了する。つまり、既存の検査写真の特定の位置に別の検査写真を階層的に関連づけることができる。
【０１１７】
上記の処理により、上位の検査写真の所望の位置に対する下位の検査写真のデータ上の関連づけを行うとともに、上位の検査写真と下位の検査写真の関連性を視覚的に示すことが可能である。
【０１１８】
サーバ１は、検査シートのテンプレートに、この検査結果情報と関連する検査写真群、あるいはこれらに代替する情報（これらの保存場所を示すハイパーリンクなど）を埋め込んだ上、検査結果情報と検査写真群が埋め込まれた検査シートである検査レポートを保存してもよい。例えば、サーバ１は、携帯端末３に送られた検査シートのテンプレートにサーバ１に組み込まれたウェブサーバが公開するこの検査結果情報と検査写真群に対してアクセスするリンク情報（ＵＲＬなどで記述）を埋め込んで保存してもよい。
【０１１９】
サーバ１は、保存された検査レポートを、プリンタ４あるいはＰＣ２のディスプレイあるいは携帯端末３の画像表示装置４８を介して外部出力する。
【０１２０】
検査レポートの出力方式は任意である。例えば、サーバ１は、ＸＳＬＴなどの所定のレイアウト変換ルールに従って検査結果の反映されたＸＭＬデータの検査シートを帳票形式あるいは画面表示形式にレイアウトしかつＰＤＦのような出力データに変換して保存する。サーバ１は、ＰＣ２からの要求に応じ、このレイアウトされた出力データである検査レポートをＰＣ２に送信する。ＰＣ２は、サーバ１から受信した検査レポートを、プリンタ４にプリントアウトしたりＰＣ２に接続されたディスプレイあるいは携帯端末３の画像表示装置４８に表示したりする。
【０１２１】
テンプレート／検査シート／検査レポートの項目はＸＭＬタグで定義されることができる。この定義項目としては、定点検査または任意検査の検査種別、オリジナル伏図、オリジナル断面図、あるいはそれらの縮小画像を含む図面情報の種類、幅、高さ、ファイル名、保存パス、検査ポイントの座標、各検査ポイントに対応する検査結果、検査写真撮影ポイントの識別番号、ＸＹ座標、撮影方向、検査写真に対応づけられる図面情報上の位置情報および検査写真のファイル名、検査写真の保存先のパス、撮影日時などが挙げられる。
【０１２２】
検査シートの定義した項目に対応する値は、端末３から取得された検査結果と検査写真に応じて設定される。ＰＣ２は、検査レポート作成画面（図１８参照）上に、当該検査シートに基づいた所望の検査箇所とそれに対応する検査写真および検査結果を表示する。ＰＣ２は、当該画面を介して選択された、当該検査シートの伏図上の所望の検査箇所に、所望の検査コメントなどの検査結果と所望の検査写真が対応づけられた検査レポートの作成を行う。ＰＣ２は、作成した検査レポートのファイル、あるいは印刷出力を、検査レポート出力画面（図１９参照）を介して受け付ける。
【０１２３】
図１８は検査レポート作成画面の一例を示す。
【０１２４】
図１８に示すように、検査レポート作成画面は、検査ポイント選択領域Ｑ１、検査ポイントアイコンＰ１、全検査写真表示領域Ｑ２、検査写真撮影枚数表示領域Ｐ２、検査写真一覧Ｐ３、追加ボタンＰ４、検査ポイント詳細表示領域Ｑ３、検査写真拡大表示領域Ｑ４、追加／削除ボタンＰ５、検査レポート作成領域Ｑ５、報告用検査写真一覧Ｐ６、削除ボタンＰ７、完了ボタンＰ８を有する。
【０１２５】
検査ポイント選択領域Ｑ１は、検査データに含まれる伏図（検査マップ）とそれに対応する１または複数の検査ポイントを検査ポイントアイコンＰ１にて表示し、当該検査ポイントに対応する検査ポイントアイコンＰ１で示された検査ポイントから所望の検査ポイントをクリックなどで選択するための領域である。
【０１２６】
全検査写真表示領域Ｑ２は、端末３から取得済みの検査写真のうち、検査ポイント選択領域Ｑ１で選択された検査ポイントに対応づけられた全ての検査写真を表示する領域である。
【０１２７】
検査写真撮影枚数表示領域Ｐ２は、検査ポイント選択領域Ｑ１で選択された検査ポイントに対応づけられた全ての検査写真の枚数を表示する領域である。
【０１２８】
検査写真一覧Ｐ３は、検査ポイント選択領域Ｑ１で選択された検査ポイントに対応づけられた全ての検査写真を一覧表示する領域である。
【０１２９】
追加ボタンＰ４は、検査写真一覧Ｐ３に表示された検査写真のうち、検査レポートに記載あるいは追記すべき検査写真を指定するためのＧＵＩである。
【０１３０】
検査ポイント詳細表示領域Ｑ３は、検査ポイント選択領域Ｑ１で選択された検査ポイントに対応づけられた詳細情報を表示する領域である。この詳細情報には、検査データに含まれる検査ポイント番号などの検査情報や、端末３から取得済みの検査結果やコメントなどが含まれうる。
【０１３１】
検査写真拡大表示領域Ｑ４は、全検査写真表示領域Ｑ２および検査レポート作成領域Ｑ５で選択された検査写真を表示する領域である。
【０１３２】
追加／削除ボタンＰ５は、全検査写真表示領域Ｑ２で選択された検査写真を表示している場合、検査レポートに当該検査写真を追加するためのＧＵＩである。また、追加／削除ボタンＰ５は、検査レポート作成領域Ｑ５で選択された検査写真を表示している場合、検査レポートから当該検査写真を削除するためのＧＵＩである。
【０１３３】
検査レポート作成領域Ｑ５は、検査レポートに記載する検査写真を決定する領域である。
【０１３４】
報告用検査写真一覧Ｐ６は、検査レポートに記載する検査写真を一覧表示する領域である。
【０１３５】
削除ボタンＰ７は、検査レポートから検査写真を削除するボタンである。
【０１３６】
完了ボタンＰ８は、検査レポートの作成を完了し、検査レポートの登録および保存を実行するためのＧＵＩである。
【０１３７】
ユーザは、所望の検査ポイントを選択し、選択した検査ポイントに対応する全ての検査写真のうち所望の検査写真を選択し、選択した検査写真とその検査写真に対応する検査結果などを検査レポートとして保存できる。
【０１３８】
従来では、ユーザは多数の検査写真から検査レポート用の検査写真を選別し、選別した検査写真と検査結果とを対応づけたレイアウトを表計算ソフトなどを使って手動で行う必要があった。しかし、ユーザはこの画面から、所望の検査ポイントに対応する検査写真の中から検査レポートに記載すべき所望の検査写真を選択し、選択した検査写真とそれに対応する検査ポイントの情報と検査結果とを検査レポートとして保存することができる。
【０１３９】
図１９は検査レポート出力画面の一例を示す。
【０１４０】
図１９に示すように、検査レポート出力画面は、検査レポート表示領域Ｒ１、ページネートＲ２、検査レポート編集ボタンＲ３、ファイル出力ボタンＲ４、印刷ボタンＲ５を有する。検査レポート表示領域Ｒ１は、作成された検査レポートを表示する領域である。ページネートＲ２は、作成された検査レポートが複数ページに渡る場合のページ送り表示の指示を受け付けるＧＵＩである。ファイル出力ボタンＲ４は、検査レポートを所定のファイル形式、例えば表計算ファイル形式で記憶媒体に出力する指示を受け付けるためのＧＵＩである。この際、ファイル名とファイル保存場所を指定するダイアログボックスが開かれ、ここから所望のファイル名とファイル保存場所を指定することができる。保存が完了すると検査レポートの編集は不可となる。印刷ボタンＲ５は、検査レポートの印刷の実行指示を受け付けるためのＧＵＩである。
【０１４１】
以上のように、本実施形態に係る検査システムでは、ＰＣ２で事前に作成した検査シートに含まれる伏図と部材図面を携帯端末３で閲覧しながら所望の検査ポイントを指定し、指定された検査ポイントに対応する検査写真を携帯端末３で撮影し、両者を対応づけたデータである検査済み検査シートをサーバ１に保存することができる。そして、サーバ１に保存された検査済み検査シートは、帳票形式に変換して印刷したり表示したりできる。このため、検査シート作成、検査結果の入力、検査写真の撮影、帳票の出力という一連の検査作業を、サーバ１、ＰＣ２、携帯端末３を用いて容易に行える。特に、検査ポイントの入力、検査結果の入力および検査写真の撮影、あるいは再撮影は携帯端末３を用いて行えるため、検査現場での携帯性と操作性が高い。
【０１４２】
＜第２実施形態＞
検査の結果不具合が発見された場合、その不具合への対応を業者に依頼する必要があるが、その依頼を検査結果情報とともに業者に送信すると、業者は不具合の特定が容易になり、迅速に不具合に対処できる。
【０１４３】
図２０は不具合対応依頼処理のフローチャートを示す。この処理をサーバ１および携帯端末３に実行させるためのプログラムはサーバ１や携帯端末３の記憶媒体（ＲＯＭ３４や検査情報ＤＢ１ａなど）に記憶されている。
【０１４４】
Ｓ４１では、サーバ１は、携帯端末から検査結果情報を受信する。
【０１４５】
Ｓ４２では、サーバ１は、ＤＢ１ａに予め格納された、検査結果情報の全部または一部と不具合依頼情報とを対応づけた不具合依頼テーブルを参照する。そしてサーバ１は、受信した検査結果情報に対応する不具合依頼情報に含まれる対応依頼先業者名を特定する。
【０１４６】
図２１は不具合依頼テーブルの一例である。不具合依頼テーブルでは、検査結果情報（不具合の種類、条件、部材種類）のとりうるパターンと、各パターンごとの不具合依頼情報（対応依頼業者名、使用フォーマット、依頼内容）とが対応づけられている。このテーブルは、不具合の種類ごとに対応を依頼する業者名と、依頼のフォーマット（文書の体裁）を示している。テーブルの項目は図示されたものに限らず、さらに簡略化されてもよいし細分化されていてもよい。テーブルの内容は権限のあるユーザによるキーボード操作などによって自由に追加、更新、削除できる。
【０１４７】
Ｓ４３では、サーバ１は、受信した検査結果情報に対応する不具合依頼情報に含まれる使用フォーマットを特定する。
【０１４８】
Ｓ４４では、Ｓ４３で特定されたフォーマットに従って、受信した検査結果情報を配列した依頼情報を作成する。依頼情報には、部材のＩＤ、検査ポイントのＩＤ、当該部材のＩＤおよび検査ポイントのＩＤに関連する検査写真（上位の検査写真および下位の検査写真）、不具合内容や依頼内容、検査日や検査内容詳細などを含む。
【０１４９】
作成された依頼情報は、プリンタ４でプリントアウトしたり、ネットワーク経由で対応依頼業者名（ないしメールアドレスなどの代替情報）で識別されるパソコンなどに送信することができる。  
【０１５０】
本実施の形態では、携帯電話を用いて建設工事における施行検査業務を行う建設検査システムを例に説明したが、建設検査システムに限定されるものではない。例えば、プラント検査、ダム検査、橋脚検査等の点検システムに適用することもできる。
【０１５１】
あるいは、本システムの用途は、建設現場の検査時の図面確認（図２２参照）、電柱の保守点検（図２３参照）、プラントの保守点検（図２４参照）など、幅広い用途が考えられる。また、本発明は、サーバ、携帯電話等からなる様々な検査システムに適用することができる。
【符号の説明】
【０１５２】
１：画像蓄積サーバ、２：画像配信サーバ、３：携帯電話、４：プリンタ
【図１】
2011070632.tif 000003
【図２】
2011070632.tif 000004
【図３】
2011070632.tif 000005
【図４】
2011070632.tif 000006
【図５】
2011070632.tif 000007
【図６】
2011070632.tif 000008
【図７】
2011070632.tif 000009
【図８】
2011070632.tif 000010
【図１０】
2011070632.tif 000011
【図１１】
2011070632.tif 000012
【図１３】
2011070632.tif 000013
【図１７】
2011070632.tif 000014
【図２０】
2011070632.tif 000015
【図２１】
2011070632.tif 000016
【図２２】
2011070632.tif 000017
【図９】
2011070632.tif 000018
【図１２】
2011070632.tif 000019
【図１４】
2011070632.tif 000020
【図１５】
2011070632.tif 000021
【図１６】
2011070632.tif 000022
【図１８】
2011070632.tif 000023
【図１９】
2011070632.tif 000024
【図２３】
2011070632.tif 000025
【図２４】
2011070632.tif 000026